(57)【要約】【課題】透明な遊技盤の背面側に照明装置を設けた場合でも、更にその背面側に設けられる液晶表示装置の画像を視認することができる遊技機を提供する。【解決手段】透光性を有する遊技盤４を備え、更に該遊技盤４の背面側に照明装置２１を設けた遊技機において、照明装置２１は遊技盤４の背面側に設けられる透明基板２６上に設けられると共に、照明装置２１は遊技盤４の背面側に形成された収容部２５内に収容される。これにより、遊技者は液晶表示装置Ａの画像を視認することができ、且つ遊技機全体の奥行き方向の長さを短くすることができる。【選択図】      図３
2006223586.tif 000002
【特許請求の範囲】
【請求項１】
少なくとも一部が透光性を有する遊技盤を備え、更に、前記遊技盤の前記透光性を有する部分の背面側に照明装置を設けた遊技機において、
前記照明装置は、前記遊技盤の背面側に設けられる基板上に設けられると共に、該基板が透光性を有する部材で構成されたことを特徴とする遊技機。
【請求項２】
前記遊技盤の前記透光性を有する部分の裏面側に前記照明装置を収容するための収容部を形成したことを特徴とする請求項１に記載の遊技機。
【請求項３】
前記収容部の底部に装飾を施すことを特徴とする請求項２に記載の遊技機。
【請求項４】
前記照明装置を、前記基板に保持されたエレクトロルミネセンスとしたことを特徴とする請求項１〜請求項３のいずれか１項に記載の遊技機。
【発明の詳細な説明】
【技術分野】
【０００１】
本発明は、パチンコ機、パチスロ機等の遊技機に係り、特に、遊技の興趣を高めるために設ける照明装置の取り付け構造に関する。
【背景技術】
【０００２】
例えば、遊技機としてのパチンコ機は、透明遊技盤を有しており、該透明遊技盤上に遊技に必要な部材としての入賞部材、遊技球の流下経路を形成するための釘、風車などが設けられている。更に、多数のＬＥＤ、豆球等の照明装置を備えており、該照明装置の点灯を制御することにより、遊技中の遊技者に対する視覚的な効果を高めるようにしている。
【０００３】
照明装置の取り付け構造として、従来より例えば特開平１０−１７９８５４号公報（特許文献１）に記載されているものが知られている。該特許文献１では、透明遊技盤の背面側にＬＥＤが実装されたＬＥＤ基板を設け、ＬＥＤの点灯、消灯を制御することにより、電飾による視覚的効果を高めることができる。
【０００４】
また、他の従来例として特開２００２−１７９７１号公報（特許文献２）には、透明遊技盤の背面側に、遊技盤の外周に沿った形状のネオン管を設けるようにして遊技領域全体を照明して、視覚的な効果を高める技術が開示されている。
【特許文献１】特開平１０−１７９８５４号公報
【特許文献２】特開２００２−１７９７１号公報
【発明の開示】
【発明が解決しようとする課題】
【０００５】
しかしながら、上述した特許文献１，２に開示された従来技術では、透明遊技盤の背面側に照明装置を設ける構成としているので、該照明装置よりも更に背面側となる部分に液晶の表示装置やランプ等を設けた場合に、照明装置を実装するための基板が背面側から照射される光の全体或いは一部分を遮ってしまい、液晶の表示装置或いはランプによる光を視認できなくなるという問題が発生する。
【０００６】
本発明は、このような従来の課題を解決するためになされたものであり、その目的とするところは、透明遊技盤の背面側に照明装置を設けた場合でも、更にその背面側に設けられる表示装置或いはランプの光を視認することのできる遊技機を提供することにある。
【課題を解決するための手段】
【０００７】
上記目的を達成するため、本願請求項１に記載の発明は、少なくとも一部が透光性を有する遊技盤を備え、更に、前記遊技盤の前記透光性を有する部分の背面側に照明装置を設けた遊技機において、前記照明装置は、前記遊技盤の背面側に設けられる基板上に設けられると共に、該基板が透光性を有する部材で構成されたことを特徴とする。
【０００８】
請求項１の発明では、照明装置を取り付けるための基板が、透光性を有する部材で構成されるので、この基板の背面側に液晶等の表示装置或いはランプを設けた場合でも、これらの光が遮られることがなく、視認性を高めることができる。
【０００９】
請求項２に記載の発明は、前記遊技盤の前記透光性を有する部分の裏面側に前記照明装置を収容するための収容部を形成したことを特徴とする。
【００１０】
請求項２の発明では、遊技盤の裏面に収容部を設け、該収容部内に照明装置を収容するので、照明装置を取り付けるための基板と遊技盤との間隔をほぼ無くすることができ、全体の厚さを薄くすることができる。
【００１１】
請求項３に記載の発明は、前記収容部の底部に装飾を施すことを特徴とする。
【００１２】
請求項３の発明では、収容部の底部に装飾が施されるので、透光性を有する遊技盤がランプレンズと同様の機能を果たし、照明装置より出射される光の興趣をより高めることができる。
【００１３】
請求項４に記載の発明は、前記照明装置を、前記基板に保持されたエレクトロルミネセンスとしたことを特徴とする。
【００１４】
請求項４の発明では、照明装置をエレクトロルミネセンスで構成したので、照明装置の後方側についても視認性を高めることができる。
【発明の効果】
【００１５】
本発明に係る遊技機では、照明装置を取り付けるための基板を透光性を有する部材で構成しているので、この基板の背面側に設けられる表示装置或いはランプよる出射される光が遮られることがなく、視覚的な効果を高めることができる。
【発明を実施するための最良の形態】
【００１６】
以下、本発明の実施形態を図面に基づいて説明する。図１は、本発明の一実施形態に係る遊技機としてのパチンコ機２０の外観を示す説明図である。なお、本実施形態では、遊技機としてパチンコ機を例に挙げて説明するが、本発明はこれに限定されるものではなく、パチスロ機、雀球、アレンジボール等の他の遊技機においても適用することができるものである。
【００１７】
図１に示すようにパチンコ機２０は、遊技者の回転操作により遊技領域に向けて遊技球を発射するための発射ハンドル１と、遊技球を受け入れる上皿２，及び下皿３と、発射ハンドル１により遊技領域に射出された遊技球に対しその流下方向に変化を与え、或いは遊技領域へ射出された遊技球を受け入れる遊技部材が設けられた遊技盤４とを備えている。
【００１８】
遊技盤４は、例えば、遊技球の流下方向に変化を与える流下方向変化部材５，６と、透光性を有する部材で構成されると共に遊技球を受け入れる一般入賞口７と、普通図柄ゲームを作動させるためのゲートとなる普通図柄作動ゲート１１と、特別図柄ゲームを作動させるための入賞口となる始動口８、及び大入賞口１０を備えている。
【００１９】
また、パチンコ機２０は、一般入賞口７等に受け入れられない遊技球を排出するためのアウト口９を備えている。
【００２０】
更に、遊技盤４の背面側には、該遊技盤４のほぼ全体を介して視認可能となるように液晶表示装置Ａが設けられており、この液晶表示装置Ａに数字が変動するルーレット等の識別図柄ゲームの変動画面やその他の演出画面が表示される。
【００２１】
また、例えば一般入賞口７の周囲部等の遊技盤の適所には、演出効果を発生させるための装飾用の照明装置が設けられており、該照明装置を点灯、消灯させることにより、遊技者の興趣を高めるようにしている。この照明装置は、透明性を有する遊技盤の裏面側に配設される。
【００２２】
図２は、遊技盤４の背面側に設けられる照明装置２１の取り付け構造を示す分解斜視図、図３は断面図である。図２，３に示すように、遊技盤４の背面側には矩形状の収容部２５が形成されており、該収容部２５の断面形状は図３に示すように、前面側（収容部２５の底面側）が凸となる円弧形状に形成されている。
【００２３】
また、該収容部２５内部には照明装置２１が収納配置されており、該照明装置２１は、照明用基板２７と、この照明用基板２７に搭載されたＬＥＤ２２、及び該ＬＥＤ２２に結線されたリード線２３を有している。
【００２４】
更に、遊技盤４の背面側には、透明基板２６が設けられており、該透明基板２６の前面に照明装置２１が載置されている。また、透明基板２６には透孔２４が穿設されており、該透孔２４を介してＬＥＤ２２結線用のリード線２３が透明基板２６の背面側へ導出するようになっている。また、透明基板２６の背面側には所定間隔の空間部２８を介して液晶表示装置Ａが設けられている。
【００２５】
次に、上述のように構成された本実施形態に係るパチンコ機２０の作用について説明する。照明制御手段（図示省略）により、ＬＥＤ２２への電流の供給、停止を制御すると、該ＬＥＤ２２は点灯または消灯することによりパチンコ機２０の電飾効果が発揮される。
【００２６】
ここで、照明装置２１は透明性を有する遊技盤４の裏面側に設けられた収容部２５内に形成されるので、照明装置２１を取り付けるために遊技盤４の奥行き方向の長さを短くすることができる。即ち、透明基板２６を遊技盤４に接触させることができ、照明装置２１の厚さ分が収容部２５内に収容されるので、パチンコ機２０全体の奥行き方向を薄型化することができる。
【００２７】
また、照明装置２１を取り付けるために透明基板２６を用いているので、該透明基板２６の背面側に設けられた液晶表示装置Ａで表示される画像が透明基板２６を介して遊技盤４の前面側へ透過し、遊技者はこの画像を視認することができる。
【００２８】
図４は、本実施形態の変形例の構成を示す断面図である。同図に示すように、変形例に係る遊技機では、遊技盤４に設けられた収容部２５の断面円弧状の底面を凹凸加工した凹凸面３１とすることにより、多彩な電飾効果を得るようにしている。例えば、凹凸加工として、ダイヤカット加工、サテン加工、シボ加工等を施すことにより、照明装置２１より出射された光をこの凹凸面にて乱反射させることができ、遊技者にとっての視覚的な効果を向上させることができる。
【００２９】
図５は、本発明の第２の実施形態に係るパチンコ機２０の、照明装置２１ａの構成を示す断面図である。同図に示すように、第２の実施形態では、収容部２５ａ内に搭載する照明装置２１ａとして、エレクトロルミネセンス（ＥＬ）を用いている。また、収容部２５ａの底面を平坦に形成している。そして、エレクトロルミネセンスを点灯、消灯させることにより電飾効果を得ることができる。
【００３０】
従って、上述した第１の実施形態と同様に、照明装置２１ａを取り付けるために遊技盤４の奥行き方向を短くすることができるので、パチンコ機２０全体の奥行き方向を薄型化することができる。また、透明基板２６を用いているので、液晶表示装置Ａの表示画像を遊技者は遊技盤４の前面で視認することができる。更に、エレクトロルミネセンスを用いているので、照明装置２１ａの背面側となる液晶表示装置Ａでの表示画像が、透明基板２６及びエレクトロルミネセンスを介して遊技盤４の前面に透過するので、遊技者は照明装置２１ａの存在により液晶表示装置Ａの表示画像を遮られることなく、液晶表示装置Ａ全体の画像を視認することができる。
【００３１】
以上、本発明の遊技機を図示の実施形態に基づいて説明したが、本発明はこれに限定されるものではなく、各部の構成は、同様の機能を有する任意の構成のものに置き換えることができる。
【００３２】
例えば、上記した第１の実施形態では、照明装置２１として照明用基板２７の上に２個のＬＥＤ２２が搭載される例について説明したが、本発明はこれに限定されるものではなく、１個或いは３個以上のＬＥＤ２２を好適な配列で設けるようにすることができる。
【産業上の利用可能性】
【００３３】
視覚的な効果を向上させ、且つ装置の薄型化を図る上で極めて有用である。
【図面の簡単な説明】
【００３４】
【図１】本発明の一実施形態に係るパチンコ機の構成を示す正面図である。
【図２】パチンコ機の裏面側の構成を示す説明図であり、遊技盤の裏面及び該遊技盤の裏面に取り付ける照明装置示す斜視図である。
【図３】照明装置を遊技盤の裏面に設けられた収容部内に収容した状態を示す断面図である。
【図４】収容部の底面を凹凸加工した状態を示す断面図である。
【図５】照明装置としてエレクトロルミネセンスを用いた場合の、収容部内の状態を示す断面図である。
【符号の説明】
【００３５】
１  発射ハンドル
２  上皿
３  下皿
４  遊技盤
５，６  流下方向変化部材
７  一般入賞口
８  始動口
１０  大入賞口
１１  普通図柄作動ゲート
２０  パチンコ機（遊技機）
２１，２１ａ  照明装置
２２  ＬＥＤ
２３  リード線
２４  透孔
２５，２５ａ  収容部
２６  透明基板
２７  照明用基板
２８  空間部  
３１  凹凸面
Ａ  液晶表示装置
【図１】
2006223586.tif 000003
【図２】
2006223586.tif 000004
【図３】
2006223586.tif 000005
【図４】
2006223586.tif 000006
【図５】
2006223586.tif 000007